【事件の表示】
　特願２０１３−５５３４６７「ブロードキャストデータサービスに関係するデバイスをカウントするための方法および装置」拒絶査定不服審判事件〔平成２４年　８月１６日国際公開、ＷＯ２０１２／１０９０７２、平成２６年　４月２４日国内公表、特表２０１４−５１０４４９、請求項の数（２１）〕について、次のとおり審決する。
【結　論】
　原査定を取り消す。
　本願の発明は、特許すべきものとする。
【理　由】
第１　手続の経緯
　本願は，２０１２年(平成２４年)２月１日(優先権主張　２０１１年(平成２３年)２月８日　米国，２０１１年(平成２３年)７月１１日　米国，２０１２年(平成２４年)１月３１日　米国)を国際出願日とする出願であって，平成２６年７月２５日付けで拒絶理由が通知され，平成２７年１月２９日付けで意見書とともに手続補正書の提出がなされ，同年３月２４日付けで拒絶査定され，同年７月３１日に拒絶査定不服審判の請求と同時に手続補正がなされ，同年９月８日付けで前置報告書が作成され，平成２８年１月２２日付けで上申書の提出がなされたものである。
第２　本件補正
　　１．本件補正の概要
　平成２７年７月３１日付け手続補正(以下「本件補正」という。)は，以下のように，「本件補正前の特許請求の範囲」における記載を，「本件補正後の特許請求の範囲」におけるように記載を変更するものである。(下線は請求人が付与。)
　本件補正前の特許請求の範囲
　　【請求項１】
　ブロードキャストデータに関係するデバイスをカウントするための方法であって、
　
コアネットワーク構成要素において、
　
前記コアネットワーク構成要素において、
　
前記コアネットワーク構成要素において、
てデ
　を備える、方法。
　　【請求項２】
　前記登録カウントに部分的に基づいて前記ブロードキャストデータのためにマルチキャスト通信を利用すべきかどうかを決定することをさらに備える、請求項１に記載の方法。
　　【請求項３】
　前記デバイスから登録解除要求を受信することと、
　前記登録解除要求を前記受信することに部分的に基づいて前記登録カウントを減分することと
　をさらに備える、請求項１に記載の方法。
　　【請求項４】
　前記デバイスのカウントを要求することを決定することに基づいて
、１
　　【請求項５】
　
前記コアネットワーク構成要素は、ブロードキャスト／マルチキャストサービスセンター（ＢＭ−ＳＣ）であり、
　前記デバイスのカウントを要求することを決定することに部分的に基づいて、カウントを要求するようにマルチキャスト協調エンティティに示すことをさらに備える、
　請求項１に記載の方法。
　　【請求項６】
　ブロードキャストデータに関係するデバイスをカウントするための装置であって、
　
コアネットワーク構成要素において、
　
前記コアネットワーク構成要素において、
　
前記コアネットワーク構成要素において、
　を備える、装置。
　　【請求項７】
　前記登録カウントに部分的に基づいて前記ブロードキャストデータのためにマルチキャスト通信を利用すべきかどうかを決定するための手段をさらに備える、請求項６に記載の装置。
　　【請求項８】
　前記受信するための手段が、前記デバイスから登録解除要求を受信し、前記増分するための手段が、前記登録解除要求に部分的に基づいて前記登録カウントを減分する、請求項６に記載の装置。
　　【請求項９】
　前記決定するための手段が、前記デバイスのカウントを要求することを決定することに基づいて
、１
　　【請求項１０】
　
前記コアネットワーク構成要素は、ブロードキャスト／マルチキャストサービスセンター（ＢＭ−ＳＣ）であり、
　前記決定するための手段が、前記デバイスのカウントを要求することを決定することに部分的に基づいて、カウントを要求するようにマルチキャスト協調エンティティに示す、
　請求項６に記載の装置。
　　【請求項１１】
　ワイヤレス通信のための装置であって、
　　　
コアネットワーク構成要素において、
　　　
前記コアネットワーク構成要素において、
　　　
前記コアネットワーク構成要素において、
てデ
　を行うように構成された少なくとも１つのプロセッサと、
　前記少なくとも１つのプロセッサに結合されたメモリと
　を備える、装置。
　　【請求項１２】
　前記少なくとも１つのプロセッサが、前記登録カウントに部分的に基づいて前記ブロードキャストデータのためにマルチキャスト通信を利用すべきかどうかを決定するようにさらに構成された、請求項１１に記載の装置。
　　【請求項１３】
　前記少なくとも１つのプロセッサが、
　前記デバイスから登録解除要求を受信することと、
　前記登録解除要求を前記受信することに部分的に基づいて前記登録カウントを減分することと
　を行うようにさらに構成された、請求項１１に記載の装置。
　　【請求項１４】
　前記少なくとも１つのプロセッサが、前記デバイスのカウントを要求することを決定することに基づいて
、１
　　【請求項１５】
　
前記コアネットワーク構成要素は、ブロードキャスト／マルチキャストサービスセンター（ＢＭ−ＳＣ）であり、
　前記少なくとも１つのプロセッサが、前記デバイスのカウントを要求することを決定することに部分的に基づいて、カウントを要求するようにマルチキャスト協調エンティティに示すようにさらに構成された、
　請求項１１に記載の装置。
　　【請求項１６】
　ブロードキャストデータに関係するデバイスをカウントするためのコンピュータ
可読記憶媒体
　　　少なくとも１つのコンピュータに、
コアネットワーク構成要素において、
　　　前記少なくとも１つのコンピュータに、
前記コアネットワーク構成要素において、
　　　前記少なくとも１つのコンピュータに、
前記コアネットワーク構成要素において、
てデ
　を備える、コンピュータ可読記憶媒体。
　　【請求項１７】
　ブロードキャストデータに関係するデバイスをカウントするための装置であって、
　
コアネットワーク構成要素において、
　
前記コアネットワーク構成要素において、
　
前記コアネットワーク構成要素において、
てデ
　を備える、装置。
　　【請求項１８】
　前記登録カウントに部分的に基づいて前記ブロードキャストデータのためにマルチキャスト通信を利用すべきかどうかを決定するためのブロードキャスト決定構成要素をさらに備える、請求項１７に記載の装置。
　　【請求項１９】
　前記登録情報受信構成要素が、前記デバイスから登録解除要求を受信し、前記デバイスカウント構成要素が、前記登録解除要求に部分的に基づいて前記登録カウントを減分する、請求項１７に記載の装置。
　　【請求項２０】
　前記カウント要求決定構成要素が、前記デバイスのカウントを要求することを決定することに基づいて
、１
　　【請求項２１】
　
前記コアネットワーク構成要素は、ブロードキャスト／マルチキャストサービスセンター（ＢＭ−ＳＣ）であり、
　前記カウント要求決定構成要素が、前記デバイスのカウントを要求することを決定することに部分的に基づいて、カウントを要求するようにマルチキャスト協調エンティティに示す
　請求項１７に記載の装置。
　本件補正後の特許請求の範囲
　　【請求項１】
　ブロードキャストデータ
サービス
　コアネットワーク構成要素において、デバイスに関係する
前記
サービス
　前記コアネットワーク構成要素において、前記登録要求を前記受信することに部分的に基づいて登録カウントを増分することと、
　前記コアネットワーク構成要素において、前記登録カウントに部分的に基づいて
、前記ブロードキャストデータサービスを受信する
　を備
え、前記コアネットワーク構成要素は、ブロードキャスト／マルチキャストサービスセンター（ＢＭ−ＳＣ）である、
　　【請求項２】
　前記登録カウントに部分的に基づいて前記ブロードキャストデータ
サービス
　　【請求項３】
　前記デバイスから登録解除要求を受信することと、
　前記登録解除要求を前記受信することに部分的に基づいて前記登録カウントを減分することと
　をさらに備える、請求項１に記載の方法。
　　【請求項４】
　前記デバイスのカウントを要求することを決定することに基づいて、１つまたは複数の基地局にカウント要求を送信することをさらに備える、請求項１に記載の方法。
　　【請求項５】
　
前
　請求項１に記載の方法。
　　【請求項６】
　ブロードキャストデータ
サービス
　コアネットワーク構成要素において、デバイスに関係する前記ブロードキャストデータ
サービス
　前記コアネットワーク構成要素において、前記登録要求に部分的に基づいて登録カウントを増分するための手段と、
　前記コアネットワーク構成要素において、前記登録カウントに部分的に基づいて
、前記ブロードキャストデータサービスを受信する
　を備
え、前記コアネットワーク構成要素は、ブロードキャスト／マルチキャストサービスセンター（ＢＭ−ＳＣ）である、
　　【請求項７】
　前記登録カウントに部分的に基づいて前記ブロードキャストデータ
サービス
　　【請求項８】
　前記受信するための手段が、前記デバイスから登録解除要求を受信し、前記増分するための手段が、前記登録解除要求に部分的に基づいて前記登録カウントを減分する、請求項６に記載の装置。
　　【請求項９】
　前記決定するための手段が、前記デバイスのカウントを要求することを決定することに基づいて、１つまたは複数の基地局にカウント要求を送信する、請求項６に記載の装置。
　　【請求項１０】
　
前
　請求項６に記載の装置。
　　【請求項１１】
　ワイヤレス通信のための装置であって、
　　　コアネットワーク構成要素において、デバイスに関係するブロードキャストデータ
サービス
　　　前記コアネットワーク構成要素において、前記登録要求に部分的に基づいて登録カウントを増分することと、
　　　前記コアネットワーク構成要素において、前記登録カウントに部分的に基づいて
、前記ブロードキャストデータサービスを受信する
　を行うように構成された少なくとも１つのプロセッサと、
　前記少なくとも１つのプロセッサに結合されたメモリと
　を備え
、前記コアネットワーク構成要素は、ブロードキャスト／マルチキャストサービスセンター（ＢＭ−ＳＣ）である、
　　【請求項１２】
　前記少なくとも１つのプロセッサが、前記登録カウントに部分的に基づいて前記ブロードキャストデータ
サービス
　　【請求項１３】
　前記少なくとも１つのプロセッサが、
　前記デバイスから登録解除要求を受信することと、
　前記登録解除要求を前記受信することに部分的に基づいて前記登録カウントを減分することと
　を行うようにさらに構成された、請求項１１に記載の装置。
　　【請求項１４】
　前記少なくとも１つのプロセッサが、前記デバイスのカウントを要求することを決定することに基づいて、１つまたは複数の基地局にカウント要求を送信するようにさらに構成された、請求項１１に記載の装置。
　　【請求項１５】
　
前
　請求項１１に記載の装置。
　　【請求項１６】
　ブロードキャストデータ
サービス
　　　少なくとも１つのコンピュータに、コアネットワーク構成要素において、デバイスに関係する
前記
サービス
　　　前記少なくとも１つのコンピュータに、前記コアネットワーク構成要素において、前記登録要求に部分的に基づいて
、
　　　前記少なくとも１つのコンピュータに、前記コアネットワーク構成要素において、前記登録カウントに部分的に基づいて、
前記ブロードキャストデータサービスを受信する
　を備え
、前記コアネットワーク構成要素は、ブロードキャスト／マルチキャストサービスセンター（ＢＭ−ＳＣ）である、
　　【請求項１７】
　ブロードキャストデータ
サービス
　コアネットワーク構成要素において、デバイスに関係する
前記
サービス
　前記コアネットワーク構成要素において、前記登録要求に部分的に基づいて登録カウントを増分するためのデバイスカウント構成要素と、
　前記コアネットワーク構成要素において、前記登録カウント
が閾値よりも大きい場合に、前記ブロードキャストデータサービスを受信する
ることを
　を備える、装置。
　　【請求項１８】
　前記登録カウントに部分的に基づいて前記ブロードキャストデータ
サービス
　　【請求項１９】
　前記登録情報受信構成要素が、前記デバイスから登録解除要求を受信し、前記デバイスカウント構成要素が、前記登録解除要求に部分的に基づいて前記登録カウントを減分する、請求項１７に記載の装置。
　　【請求項２０】
　前記カウント要求決定構成要素が、前記デバイスのカウントを要求することを決定することに基づいて、１つまたは複数の基地局にカウント要求を送信する、請求項１７に記載の装置。
　　【請求項２１】
　前記カウント要求決定構成要素が、前記デバイスのカウントを要求することを決定することに部分的に基づいて、カウントを要求するようにマルチキャスト協調エンティティに示す
　請求項１７に記載の装置。
　本件補正後の請求項１に係る発明について
　本件補正は，本件補正前の請求項１に係る発明に関して，本件補正前に「ブロードキャストデータ」とあったのを「ブロードキャストデータ
サービス
　これは，本件明細書において，例えば，「【００６６】[0087]  ＭＣＥ６０６は、
ブロードキャストデータサービスのためのデバイス登録に関する情報を取得するための登録情報受信構成要素
ブロードキャストデータサービスを受信するために登録されたデバイスのカウントを決定するためのデバイスカウント構成要素
　更に，本件補正は，本件補正前の請求項１に係る発明に対し，「前記コアネットワーク構成要素は、ブロードキャスト／マルチキャストサービスセンター（ＢＭ−ＳＣ）である」との事項を附加するものである。
　これは，本件補正前の請求項１に係る発明を特定する事項である「コアネットワーク構成要素」が，「ブロードキャスト／マルチキャストサービスセンター（ＢＭ−ＳＣ）」であるとの限定を附すものである。
　以上によると，本件補正は，請求項１に係る発明に対し，「誤記の訂正」及び「特許請求の範囲の減縮」を目的とするものであると解される。
　本件補正後の請求項６，１１，１６に係る発明について
　本件補正後の請求項６，１１，１６に係る発明についても，上記「本件補正後の請求項１に係る発明について」に述べたことと同様である。
　よって，本件補正は，請求項６，１１，１６に係る発明に対し，「誤記の訂正」及び「特許請求の範囲の減縮」を目的とするものであると解される。
　本件補正後の請求項１７に係る発明について
　本件補正は，本件補正前の請求項１７に係る発明に関して，本件補正前に「ブロードキャストデータ」とあったのを「ブロードキャストデータ
サービス
　更に，本件補正は，「カウント要求決定構成要素」が，本件補正前において「前記登録カウントに部分的に基づい
てデ
が閾値よりも大きい場合に、前記ブロードキャストデータサービスを受信する
ることを
　これは，「カウント要求決定構成要素」が決定するのが，「デバイスのカウントを要求すべきかどうか」であったのを「要求すること」に限定するものであり，更に，本件補正後のように，「デバイスのカウントを要求する」のが，「登録カウント
が閾値よりも大きい場合
ブロードキャストデータサービスを受信する
　以上によると，本件補正は，請求項１７に係る発明に対し，「特許請求の範囲の減縮」を目的とするものであると解される。
　　２．本件補正に関するまとめ
　以上のとおりであるから，本件補正は，特許請求の範囲について，「誤記の訂正」及び「特許請求の範囲の減縮」を目的とするものである。
　そこで，本件補正後の請求項１，６，１１，１６及び１７に係る発明が，特許出願の際独立して特許を受けることができるか否か(特許法第１７条の２第６項において準用する同法第１２６条第７項の規定に違反するか否か)について検討する。
第３　引用発明
　　１．引用刊行物及び記載事項
　原査定の理由に「引用文献１」として引用された「国際公開第２００８／０２３７９２号」(２００８年(平成２０年)２月２８日国際公開。以下「引用文献」と呼ぶ。)には，図面とともに次の事項が記載されている。(下線は当審が付与。)
　　　(１)　記載事項１
技術分野 
[0001]　本発明は、マルチメディアブロードキャスト／マルチキャストサービス（Multimedia Broadcast/Multicast Service: ＭＢＭＳ）を提供するコアネットワーク装置、無線通信基地局装置及び無線通信方法に関する。
　　　(２)　記載事項２
[0023]　図２に、２つの転送方法の概念図を示す。１つめは、図２の右側に示すように、シングルセル転送（Single Cell Transmission： ＳＣＴ）と呼ばれ、ユーザの有無を確認するために、カウントを行い、ユーザがいるセルにのみデータ送信する。また、セルエッジ等において品質が劣化した時には、再送や変調方式の変更を行うことにより、ユーザの受信品質の向上を図るものである。
[0024]　２つめは、図２の左側に示すように、マルチセル転送（Multi Cell Transmission：ＭＣＴ）と呼ばれ、ユーザの有無に関係なく、同一の周波数エリア（Single Frequency Network：ＳＦＮ）に属する複数の基地局が同期してデータ送信し、セル間ダイバーシチ合成によりユーザの受信品質の向上を図るものである。
非特許文献1： 3GPP TS 23.246 “3rd Generation Partnership Project;Technical Specification Group Services and System Aspects, Multimedia Broadcast/Multicast Service (MBMS), Architecture and functional description”, 2006-06
非特許文献2： 3GPP TS 25.346 “3rd Generation Partnership Project, Technical Specification Group Radio Access Network, Introduction of the Multimedia Broadcast Multicast Service (MBMS) in the Radio Access Network (RAN), Stage 2”, 2006-06
非特許文献3： 3GPP TS 25.331 “3rd Generation Partnership Project, Technical Specification Group Radio Access Network, Radio Resource Control (RRC), Protocol Specification”, 2006-06 
発明の開示
発明が解決しようとする課題
[0025]　しかしながら、上述したＭＢＭＳの提供方法では、サービスに応じてＭＣＴまたはＳＣＴを選択するため、以下のような問題を有する。
[0026]　ＭＣＴにおいては、ＳＦＮエリアに対してマルチメディアデータを転送するのみなので、ＳＦＮエリアに存在するユーザの数が少ない場合には、ユーザのいないセルへのデータ配信量が多くなり、ネットワーク全体の無線リソースの利用効率が低下してしまう可能性がある。
[0027]　また、ＳＣＴにおいては、特定ユーザグループに対してのみデータを転送するため、カウントを行うが、このカウントでは、ユーザはＮｏｄｅ Ｂとの間にＲＲＣコネクションを確立する必要があり、バッテリを消費してしまう。そのため、あるエリアに存在するユーザの数が多い場合には、そのエリア内のほとんどのセルにユーザが存在し、ＭＣＴに比べて、不必要なカウントを行う分、ＵＥのバッテリ消費量が増大してしまう可能性がある。
[0028]　本発明の目的は、ＵＥのバッテリ消費を増大させることなく、ネットワーク全体の無線リソースの利用効率の向上を図るコアネットワーク装置、無線通信基地局装置及び無線通信方法を提供することである。
　　　(３)　記載事項３
発明の効果 
[0032]　本発明によれば、ＵＥのバッテリ消費を増大させることなく、ネットワーク全体の無線リソースの利用効率の向上を図ることができる。
　　　(４)　記載事項４
[0035]　（実施の形態１）
　図３は、本発明の実施の形態１に係るネットワークの構成を示す図である。図３に示すネットワークは、
端末（User Equipment: ＵＥ）１００、無線基地局装置（Evolved NodeB： ｅＮＢ）１２０、移動管理装置（Mobility Management Entity： ＭＭＥ）１４０、ユーザプレーン装置（User Plane Entity： ＵＰＥ）１６０及びブロードキャスト／マルチキャストサービスセンタ（Broadcast Multicast Service Center： ＢＭ−ＳＣ）１８０から構成され、ｅＮＢ１２０、ＭＭＥ１４０及びＵＰＥ１６０は、それぞれＩＰネットワークを介して接続されている
[0036]　
ｅＮＢ１２０は
[0037]　
ＭＭＥ１４０は
[0038]　
ＵＰＥ１６０は
[0039]　
ＢＭ−ＳＣ１８０は
[0040]　
図４は、図３に示したＭＭＥ１４０の構成を示すブロック図である
[0041]　ユーザ情報管理部１４２は、ＵＥ１００のＭＢＭＳ受信性能と、ＢＭ−ＳＣ１８０から通知されたＭＢＭＳ登録応答に含まれる、該サービスに要求されるＵＥ１００の性能とを比較する。この比較の結果、ＵＥ１００のＭＢＭＳ受信性能が、該サービスに要求されるＵＥ１００の性能よりも上回った場合、該サービスとＵＥ１００の属する位置登録エリアに関する識別子をユーザ数カウント部１４３に通知する。なお、ＵＥ１００のＭＢＭＳ受信性能が、該サービスに要求されるＵＥ１００の性能を下回った場合は、ＢＭ−ＳＣ１８０及びＵＥ１００に対して、処理の中止を通知する。
[0042]　
ユーザ数カウント部１４３は、サービス毎に参加しているユーザ数を位置登録エリア単位でカウントし、ユーザ情報管理部１４２から通知されたサービス及び位置登録エリア識別子に従って、ユーザ数を更新する。更新したユーザ数は出力部１４４に出力される。このように、ＭＭＥ１４０はＵＥの位置登録を代用して、ユーザ数をカウントすることができる
[0043]　
出力部１４４は、ユーザ数カウント部１４３から出力されたユーザ数をＭＢＭＳ登録更新に含め、ＭＢＭＳ登録更新をＵＰＥ１６０に送出する
[0044]　
図５は、図３に示したＵＰＥ１６０の構成を示すブロック図である
入力部１６１は、ＢＭ−ＳＣ１８０、ＭＭＥ１４０及びｅＮＢ１２０から入力した信号をパラメータ部１６２及びユーザ数カウント部１６３に通知する
ＭＢＭＳ登録更新に含まれ、サービス毎の位置登録エリア単位のＭＢＭＳユーザ数をユーザ数カウント部１６３に通知する
[0045]　パラメータ部１６２は、データパスに関する様々なパラメータを管理し、パラメータの設定に従い、ＢＭ−ＳＣ１８０から入力されたサービスデータを出力部１６５から出力する。
[0046]　
ユーザ数カウント部１６３は、サービス毎に参加しているユーザ数を位置登録エリア単位でカウントする。ＭＭＥ１４０はＭＢＭＳエリアに複数存在するため、ＵＰＥ１６０で管理しているユーザ数は、それぞれのＭＭＥから通知されたユーザ数の合計値となる。よって、ＵＰＥ１６０は、ＭＢＭＳエリア内に存在する該サービスへの参加ユーザ数を位置登録エリア単位で知ることができる。ＭＢＭＳ登録更新を受信したユーザ数カウント部１６３は、該サービスに参加しているユーザ数を更新し、更新したユーザ数をユーザ数比較部１６４に出力する
[0047]　
ユーザ数比較部１６４は、ユーザ数カウント部１６３から出力されたユーザ数と、予め定められた閾値とを位置登録エリア毎に比較する。比較の結果、ユーザ数が閾値以上であれば、その位置登録エリアにおける転送モードとしてＭＣＴを選択し、閾値未満であればＳＣＴを選択する。選択されたＭＣＴ又はＳＣＴを示す識別子が出力部１６５に出力される
[0048]　通知手段としての出力部１６５は、パラメータ部１６２から出力されたサービスデータ、ユーザ数比較部１６４から出力されたＭＣＴ又はＳＣＴを示す識別子をｅＮＢ１２０に出力する。
[0049]　次に、ユーザのマルチキャスト加入グループへの加入手順について説明する。
図６は、マルチキャスト加入グループへの加入手順を示すシーケンス図である
[0050]　
ステップ（以下「ＳＴ」と省略する）２０１では、サービス案内を受けたＵＥ１００は、ＭＭＥ１４０に対してマルチキャスト加入要求を送出する。このマルチキャスト加入要求には、加入したいマルチキャストグループを示す識別子が含まれる
[0051]　
ＳＴ２０２では、マルチキャスト加入要求を受信したＭＭＥ１４０は、ＢＭ−ＳＣ１８０との間でユーザの承認手順を行う。この承認手順は、ユーザの加入者契約情報を元に行われ、ユーザが正しくサービスを受けることが可能かどうかを判断する
[0052]　
承認手順が成功裡に終了した場合、ＳＴ２０３において、ＭＭＥ１４０は、ＵＥ１００にＭＢＭＳコンテキスト活性化要請を送出する
[0053]　
ＳＴ２０４では、ＭＢＭＳコンテキスト活性化要請を受信したＵＥ１００は、ＭＢＭＳコンテキスト活性化要求をＭＭＥ１４０に送出する。ＭＢＭＳコンテキスト活性化要求には、ＵＥ１００自身のＭＢＭＳを受けるための性能などが含まれる
[0054]　
ＭＢＭＳコンテキスト活性化要求を受信したＭＭＥ１４０は、該ＵＥ１００が該サービスのマルチキャストグループへの最初の参加者であった場合、ＳＴ２０５において、ＢＭ−ＳＣ１８０にＭＢＭＳ登録要求を送出する。該ＵＥ１００が該サービスのマルチキャストグループへの最初の参加者ではなかった場合、ＳＴ２０５及びＳＴ２０６の処理は行われない。ＭＢＭＳ登録要求には、ＭＢＭＳデータを配信するためのＵＰＥ１６０の識別子が含まれる
[0055]　
ＳＴ２０６では、ＭＢＭＳ登録要求を受信したＢＭ−ＳＣ１８０は、該サービスに要求されるＵＥ１００の性能を含んだＭＢＭＳ登録応答をＭＭＥ１４０に送信する
[0056]　
ＳＴ２０７では、ＭＭＥ１４０がサービス毎に参加しているユーザ数を位置登録エリア単位でカウントし、ＭＭＥユーザ数を更新する。ＳＴ２０８では、ＭＭＥ１４０がＭＢＭＳ登録更新をＵＰＥ１６０に送出する。ＭＢＭＳ登録更新には、更新した位置登録エリア単位のＭＢＭＳユーザ数が含まれる
[0057]　
ＳＴ２０９では、ＵＰＥ１６０が、ＭＢＭＳエリア内に存在するサービスへの参加ユーザ数を位置登録エリア単位でカウントし、ＵＰＥユーザ数を更新する。ＳＴ２１０では、ＭＭＥ１４０が、ＭＢＭＳコンテキスト活性化受付をＵＥに送信する
[0058]　以上の処理により、ユーザのマルチキャスト加入グループへの加入手順が終了する。なお、
ＭＭＥユーザ数更新は、ユーザのマルチキャストグループからの離脱や、ＵＥ１００の位置登録エリアの更新時にも同様に更新され、その更新結果はＵＰＥ１６０に通知され、ＵＰＥ１６０においてもＵＰＥユーザ数更新が行われる
[0059]　次に、セッションスタート手順について図７を用いて説明する。
ＢＭ−ＳＣ１８０は、あるＭＢＭＳのサービス開始を検出すると、ＳＴ３０１において、セッションスタート要求をＵＰＥ１６０に送出する
[0060]　ＳＴ３０２では、
セッションスタート要求を受信したＵＰＥ１６０のユーザ数比較部１６４において、ＭＢＭＳエリア内に存在する該サービスへの参加ユーザ数と、予め定められた閾値とが位置登録エリア毎に比較される。参加ユーザ数が閾値以上であれば、その位置登録エリアにおける転送モードとしてＭＣＴが選択され、閾値未満であればＳＣＴが選択される
[0061]　
ＭＣＴが選択された場合、すなわち、位置登録エリアあたりに多数のユーザが存在する場合には、ＳＴ３０３及びＳＴ３０４において、出力部１６５を通して、サービス通知がｅＮＢ１２０及びＵＥ１００に通知され、ＵＥ１００はその位置登録エリアのどこにいてもサービスを受けることが可能となり、以降の処理は必要としない
[0062]　
一方、ユーザ数比較部１６４において、ＳＣＴが選択された場合、すなわち、位置登録エリアあたりに少数のユーザしか存在しない場合には、ユーザのいるｅＮＢ１２０にのみＭＢＭＳユーザデータを配信するため、ＳＴ３０３及びＳＴ３０４において、位置登録エリア全般にＵＥの存在を確認する手順、カウントを実行する
[0063]　
なお、ＳＴ３０３のセッションスタート要求には、ＭＣＴないしＳＣＴを示す識別子が含まれており、セッションスタート要求を受信したｅＮＢ１２０は、それにより、サービス通知を行うかカウントを行うかの判断を行う。また、ＳＴ３０４のＮｏｔｉｆｉｃａｔｉｏｎ／Ｃｏｕｎｔｉｎｇ通知にも、同様にカウントを行うか否かを示す情報が含まれており、ＵＥ１００は、それによりカウントに応じるか否かを判断する
[0064]　ＵＥ１００は、ＭＢＭＳに関するサービス通知から該当サービスに対してカウントが行われているという情報を受けると、自分が該当ＭＢＭＳの受信を望んでいることをｅＮＢ１２０に通知するため、ＳＴ３０５では、ｅＮＢ１２０に対してＲＲＣ接続を設定する。ここで、ＲＲＣ接続要求メッセージを利用して、ＵＥ１００が該当ＭＢＭＳの受信を望んでいることをｅＮＢ１２０に通知する。
[0065]　ｅＮＢ１２０は、ＲＲＣ接続要求メッセージを転送したＵＥを認識することにより、セル内で特定ＭＢＭＳを要求するユーザの存在を認識し、１人でもユーザがいる場合には、ＳＴ３０６において、ＭＢＭＳ無線ベアラを確立する。
[0066]　ＳＴ３０７では、ｅＮＢ１２０は、ｅＮＢ１２０とＵＰＥ１６０との間のＩＰネットワークにおいて、ＩＰマルチキャストツリーを構成するために、マルチキャストグループ参加要求をＵＰＥ１６０に送出する。
[0067]　マルチキャストグループ参加要求を受信した各ＩＰルータ及びＵＰＥ１６０は、該サービスへの参加ユーザがいる出力インタフェースを記憶することにより、以降、必要な出力インタフェースにのみ該ＭＢＭＳデータを転送する。
[0068]　以上により、一連のセッションスタート手順は終了し、ＢＭ−ＳＣ１８０から出力されるＭＢＭＳデータは、ＵＰＥ１６０へと送られ、ＵＰＥ１６０からは、ＭＢＭＳユーザの存在するｅＮＢ１２０にのみ送られ、最終的にマルチキャストグループに参加しているＵＥ１００のもとへ送られる。
[0069]　次に、上記セッションスタートにより設定したＭＢＭＳデータの配信経路の維持に関して説明する。セッションスタート手順のＳＴ３０５において確立したＵＥ１００とｅＮＢ１２０とのＲＲＣ接続は、制御シグナルのみを送受信する制御プレーンに限定される。
[0070]　ＲＲＣ接続を制御プレーンに限定するとは、制御プレーンのみアクティブな状態のことであり、ＲＲＣメッセージの送受信に関する無線リンク制御（Radio Link Control： ＲＬＣ）及びメディアアクセス制御（Media Access Control： ＭＡＣ）に関するエンティティのみを有し、ＵＥ１００のユーザプレーンデータの送受信に必要なチャネル品質の報告（ＣＱＩ報告）及び下り共通制御チャネルの監視等を一切行わない状態を指す。
[0071]　従って、ＵＥ１００は移動しない限り、ＭＢＭＳに関する制御信号及びサービスデータの受信以外には、信号の送受信を一切行わないので、バッテリ消費量を低く抑えることができる。また、ＭＢＭＳデータは、該ＭＢＭＳに適した間隔で間欠受信（DRX）されるので、バッテリ消費量をさらに低く抑えることができる。
[0072]　なお、制御プレーンのみアクティブな状態は、ｅＮＢ１２０とＵＥ１００との間に限られており、ＵＥ１００の位置管理を行うＭＭＥ１４０には、一切の情報が提供されないので、ＭＭＥ１４０は、位置登録エリア単位でのＵＥ１００の位置管理を続けることになる。
[0073]　ｅＮＢ１２０は、ＵＥ１００とのＲＲＣ接続を保持するため、ＵＥ１００をセル単位で位置管理することができる。従って、ＵＥ１００が隣接する他のｅＮＢに移動した場合には、通常のハンドオーバ手順を実行し、ＵＥ１００とのＲＲＣ接続を移動先のｅＮＢへと移管させる。これにより、移動先のｅＮＢは、自身の配下にＭＢＭＳユーザが移動してきたことを検出し、該サービスを提供していなければ、マルチキャストグループ参加要求を出力して、新たにサービスを提供する。また、移動元のｅＮＢは、マルチキャストグループに参加しているＵＥ１００が他にいなければ、ＵＰＥ１６０に対して該マルチキャストグループからの離脱を表明する。
[0074]　通常、アクティブ状態のＵＥ１００は、隣接セルの受信品質の測定を行い、その測定結果を定期的に又はイベント毎にｅＮＢ１２０に通知する。
[0075]　ここで、ＵＥ１００が隣接セルとの境界付近にいると仮定する。ＵＥ１００から報告された隣接セル受信品質測定結果を受信したｅＮＢ１２０は、ＵＥ１００がある隣接セルとの境界付近にいることを検出する。
[0076]　一般に、ＳＣＴでは、セルエッジに存在するユーザの受信品質は劣化することが知られている。そこで、セルエッジにユーザが存在する場合は、ＳＣＴからＭＣＴへとモードを切り替え、セル間ダイバーシチ合成を行う。
　　　(５)　記載事項５
[0082]　ここで、上述したｅＮＢ１２０の構成について説明する。図９において、入力部１２１は、ＵＥ１００、ＭＭＥ１４０、ＵＰＥ１６０及びｅＮＢ１２０から入力した信号をパラメータ部１２２、セルエッジ検出部１２３及びマルチキャスト処理部１２４に通知する。
[0083]　パラメータ部１２２は、ＵＥ１００、ＭＭＥ１４０、ＵＰＥ１６０及びｅＮＢ１２０とのシグナリングにより設定された各種パラメータを管理し、ＭＢＭＳデータは、パラメータ部１２２により指定されたパラメータに従い、転送手段としての出力部１２５より出力される。
[0084]　測定結果を受信したｓ−ｅＮＢのセルエッジ検出部１２３は、ＵＥ１００がある隣接セルとの境界にいることを検出し、該隣接セルの識別子をマルチキャスト処理部１２４に出力する。
[0085]　マルチキャスト処理部１２４は、自装置がｓ−ｅＮＢである場合、セルエッジ検出部１２３から出力された隣接セルの識別子に基づいて、隣接セルを管理するｔ−ｅＮＢにマルチキャストグループへの参加要請を出力部１２５を通して送出する。
[0086]　また、マルチキャスト処理部１２４は、自装置がｔ−ｅＮＢである場合、グループ参加要請を受信し、該ＭＢＭＳに参加するリソースがあれば、マルチキャストグループ参加要求を出力部１２５を通してＵＰＥ１６０に送出する。
[0087]　このように
実施の形態１によれば、複数のセルを含む位置登録エリア毎に、位置登録を行ったＵＥ数をカウントし、カウントしたＵＥ数が所定の閾値以上であれば、ＭＣＴを選択し、カウントしたＵＥ数が所定の閾値未満であれば、ＳＣＴを選択することにより、ＵＥ数に応じてＳＣＴとＭＣＴとを適切に切り替えることができるので、ＭＣＴによる無駄なデータ配信を削減することができると共に、ＳＣＴによる無駄なカウントを削減することができ、バッテリ消費を低減することができる
[0088]　なお、
本実施の形態では、ＵＰＥ１６０において、ＭＢＭＳエリア内に存在する該サービスへの参加ユーザ数と、予め定められた閾値とを位置登録エリア毎に比較しているが、複数存在するＭＭＥのうち、選択されたある特定のＭＭＥが、同様にユーザ数の比較を行うようにしてもよい
[0089]　なお、本実施の形態では、ＵＥ１００からの受信品質測定結果からＵＥ１００がある隣接セルとの境界にいることを検出するが、ＵＥ１００が受信品質劣化時に、ｅＮＢ１２０に送出する欠損データの再送を促すＮＡＣＫを利用して、ｅＮＢ１２０がＮＡＣＫ受信時に隣接セルにマルチキャストグループへの参加を要請するようにしてもよい。
[0090]　なお、本実施の形態では、図７のＳＴ３０２に示したユーザ数比較処理を位置登録エリア単位のＵＥ数で行っているが、複数の位置登録エリア単位で行ってもよい。
　　　(６)　記載事項６
[0154]　上記各実施の形態では、本発明をハードウェアで構成する場合を例にとって説明したが、本発明はソフトウェアで実現することも可能である。
[0155]　また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
[0156]　また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
[0157]　さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
産業上の利用可能性 
[0159]　本発明にかかるコアネットワーク装置、無線通信基地局装置及び無線通信方法は、ＵＥのバッテリ消費を増大させることなく、ネットワーク全体の無線リソースの利用効率の向上を図ることができ、ＭＢＭＳを提供する伝送制御システムに適用できる。
　　　(７)　記載事項７
請求の範囲
[1]　マルチメディアブロードキャスト／マルチキャストサービス（ＭＢＭＳ）へ参加するユーザ数を位置登録エリア単位でカウントするユーザ数カウント手段と、
　カウントされた前記ユーザ数と所定の閾値とを比較し、前記ユーザ数が前記閾値以上の場合、同一周波数エリアに属する複数の無線通信基地局装置が同期してＭＢＭＳデータを転送するマルチセル転送を選択し、前記ユーザ数が前記閾値未満の場合、前記ＭＢＭＳに参加するユーザをセル内に含む単一の無線通信基地局装置がＭＢＭＳデータを転送するシングルセル転送を選択するユーザ数比較手段と、
　選択されたマルチセル転送又はシングルセル転送を配下の無線通信基地局装置に通知する通知手段と、
　を具備するコアネットワーク装置。
　(当審注　[２]から[１２]は省略。)
[13]　コアネットワーク装置が、マルチメディアブロードキャスト／マルチキャストサービス（ＭＢＭＳ）へ参加するユーザ数を位置登録エリア単位でカウントするユーザ数カウント工程と、
　カウントされた前記ユーザ数と所定の閾値とを比較し、前記ユーザ数が前記閾値以上の場合、同一周波数エリアに属する複数の無線通信基地局装置が同期してＭＢＭＳデータを転送するマルチセル転送を選択し、前記ユーザ数が前記閾値未満の場合、前記ＭＢＭＳに参加するユーザをセル内に含む単一の無線通信基地局装置がＭＢＭＳデータを転送するシングルセル転送を選択するユーザ数比較工程と、
　選択されたマルチセル転送又はシングルセル転送を前記コアネットワーク装置配下の無線通信基地局装置に通知する通知工程と、
　無線通信基地局装置が前記マルチセル転送又は前記シングルセル転送の指示をコアネットワーク装置から取得する取得工程と、
　シングルセル転送の指示を取得した場合に限り、前記無線通信基地局装置が管理するセルについてカウントするカウント工程と、
　前記カウントの結果、ユーザが存在するセルにおいてＭＢＭＳデータを転送する転送工程と、
　を具備する無線通信方法。
　　２．引用発明
　上記(１)から(７)に摘記した記載事項を踏まえると，引用文献には，次の発明(以下「引用発明」)が記載されているといえる。
　引用発明
　端末（User Equipment:ＵＥ）１００，無線基地局装置（Evolved NodeB：ｅＮＢ）１２０，移動管理装置（Mobility Management Entity：ＭＭＥ）１４０，ユーザプレーン装置（User Plane Entity：ＵＰＥ）１６０及びブロードキャスト／マルチキャストサービスセンタ（Broadcast Multicast Service Center：ＢＭ−ＳＣ）１８０から構成され，ｅＮＢ１２０，ＭＭＥ１４０及びＵＰＥ１６０は，それぞれＩＰネットワークを介して接続されているネットワークにおける方法であって，
　サービス案内を受けたＵＥ１００は，ＭＭＥ１４０に対してマルチキャスト加入要求を送出し(ＳＴ２０１)，このマルチキャスト加入要求には，加入したいマルチキャストグループを示す識別子が含まれ，
　マルチキャスト加入要求を受信したＭＭＥ１４０は，ＢＭ−ＳＣ１８０との間でユーザの承認手順を行い(ＳＴ２０２)，この承認手順は，ユーザの加入者契約情報を元に行われ，ユーザが正しくサービスを受けることが可能かどうかを判断し，
　承認手順が成功裡に終了した場合，ＭＭＥ１４０は，ＵＥ１００にＭＢＭＳコンテキスト活性化要請を送出し(ＳＴ２０３)，
　ＭＢＭＳコンテキスト活性化要請を受信したＵＥ１００は，ＭＢＭＳコンテキスト活性化要求をＭＭＥ１４０に送出し(ＳＴ２０４)，ＭＢＭＳコンテキスト活性化要求には，ＵＥ１００自身のＭＢＭＳを受けるための性能などが含まれ，
　ＭＢＭＳコンテキスト活性化要求を受信したＭＭＥ１４０は，該ＵＥ１００が該サービスのマルチキャストグループへの最初の参加者であった場合，ＢＭ−ＳＣ１８０にＭＢＭＳ登録要求を送出し(ＳＴ２０５)，該ＵＥ１００が該サービスのマルチキャストグループへの最初の参加者ではなかった場合，ＢＭ−ＳＣ１８０にＭＢＭＳ登録要求を送出せず，ＭＢＭＳ登録要求には，ＭＢＭＳデータを配信するためのＵＰＥ１６０の識別子が含まれ，
　ＭＢＭＳ登録要求を受信したＢＭ−ＳＣ１８０は，該サービスに要求されるＵＥ１００の性能を含んだＭＢＭＳ登録応答をＭＭＥ１４０に送信し(ＳＴ２０６)，
　ＭＭＥ１４０がサービス毎に参加しているユーザ数を位置登録エリア単位でカウントし，ＭＭＥユーザ数を更新し(ＳＴ２０７)，
　ＭＭＥ１４０がＭＢＭＳ登録更新をＵＰＥ１６０に送出し(ＳＴ２０８)，ＭＢＭＳ登録更新には，更新した位置登録エリア単位のＭＢＭＳユーザ数が含まれ，
　ＵＰＥ１６０が，ＭＢＭＳエリア内に存在するサービスへの参加ユーザ数を位置登録エリア単位でカウントし，ＵＰＥユーザ数を更新し(ＳＴ２０９)，
　ＭＭＥ１４０が，ＭＢＭＳコンテキスト活性化受付をＵＥに送信し(ＳＴ２１０)，
　ＢＭ−ＳＣ１８０は，あるＭＢＭＳのサービス開始を検出すると，セッションスタート要求をＵＰＥ１６０に送出し(ＳＴ３０１)，
　セッションスタート要求を受信したＵＰＥ１６０のユーザ数比較部１６４において，ＭＢＭＳエリア内に存在する該サービスへの参加ユーザ数と，予め定められた閾値とが位置登録エリア毎に比較され，参加ユーザ数が閾値以上であれば，その位置登録エリアにおける転送モードとしてＭＣＴが選択され，閾値未満であればＳＣＴが選択され(ＳＴ３０２)，
　ＭＣＴが選択された場合，すなわち，位置登録エリアあたりに多数のユーザが存在する場合には，出力部１６５を通して，サービス通知がｅＮＢ１２０及びＵＥ１００に通知され，ＵＥ１００はその位置登録エリアのどこにいてもサービスを受けることが可能となり，以降の処理は必要とせず，
　一方，ユーザ数比較部１６４において，ＳＣＴが選択された場合，すなわち，位置登録エリアあたりに少数のユーザしか存在しない場合には，ユーザのいるｅＮＢ１２０にのみＭＢＭＳユーザデータを配信するため，位置登録エリア全般にＵＥの存在を確認する手順，カウントを実行し，
　なお，ＵＰＥ１６０が出力する「セッションスタート要求」には，ＭＣＴないしＳＣＴを示す識別子が含まれており，セッションスタート要求を受信したｅＮＢ１２０は，それにより，サービス通知を行うかカウントを行うかの判断を行い，また，Ｎｏｔｉｆｉｃａｔｉｏｎ／Ｃｏｕｎｔｉｎｇ通知にも，同様にカウントを行うか否かを示す情報が含まれており，ＵＥ１００は，それによりカウントに応じるか否かを判断する，
　方法。
第４　当審の判断
　　１．本願第１発明に関する対比及び検討
　　　(１)　対比
　　はじめに　本件補正後の請求項１に記載された発明(以下「本願第１発明」という。同様に，本件補正後の請求項６，１１，１６及び１７に記載された発明を，それぞれ，「本願第６発明」，「本願第１１発明」，「本願第１６発明」及び「本願第１７発明」という。)を特定する事項である「コアネットワーク構成要素」は，「ブロードキャスト／マルチキャストサービスセンター（ＢＭ−ＳＣ）」(以下「ＢＭ−ＳＣ」という。)である。
　このことは，本願第１発明が，次のように換言できることを示している。
　ブロードキャストデータサービスに関係するデバイスをカウントするための方法であって，
　
ＢＭ−ＳＣ
　
前記ＢＭ−ＳＣ
　
前記ＢＭ−ＳＣ
　を備える，方法。
　これも踏まえ，本願第１発明と，引用発明を比較すると次のことがいえる。
　　ア　引用発明における「ＵＥ」は「デバイス」といえる。
　　イ　引用発明における「ＵＥ」も，本願第１発明と同様の「ブロードキャスト／マルチキャストサービスセンタ（Broadcast Multicast Service Center：ＢＭ−ＳＣ）」からサービスを受けるものであることは明白であるから，「ブロードキャストサービス」を受けることができるものであるといえる。つまり，該「ＵＥ」は，「ブロードキャストサービスに関係する」ものであるということができる。
　　ウ　引用発明には，「ＵＥ」が，「ＭＢＭＳコンテキスト活性化要求」を「ＭＭＥ１４０」に送出することによって，「ＭＭＥ１４０」がサービス毎に参加しているユーザ数を位置登録エリア単位でカウントし，ＭＭＥユーザ数を更新し，そして，「ＭＭＥ１４０」がＭＢＭＳ登録更新をＵＰＥ１６０に送出し，「ＵＰＥ１６０」が，ＭＢＭＳエリア内に存在するサービスへの参加ユーザ数を位置登録エリア単位でカウントし，ＵＰＥユーザ数を更新することが開示されている。
　ここで，「参加ユーザ数」の意味するところが，「ユーザ」が有する「ＵＥ」から，「ユーザ」が「参加したい」あるいは「加入したい」マルチキャストグループを示す識別子を含む「マルチキャスト加入要求」を送出した「ＵＥ」の数であることは明らかである。
　このことは，引用発明において，「参加ユーザ数」をカウントすることが，「ＵＥ」をカウントすることといい得ることを示している。
　　エ　上記アからウに述べたことを踏まえると，引用発明と本願第１発明は，「ブロードキャストデータサービスに関係するデバイスをカウントするための方法」である点において共通するといい得る。
　　オ　引用発明における「ＭＭＥ」は，「該ＵＥ１００が該サービスのマルチキャストグループへの最初の参加者であった場合，ＢＭ−ＳＣ１８０にＭＢＭＳ登録要求を送出」する。
　このことは，「ＢＭ−ＳＣ」が，「ＭＭＥ」の送出した「ＭＢＭＳ登録要求」を受信するといい得ることを示している。
　つまり，引用発明には，「ＢＭ−ＳＣにおいて，デバイスに関係するブロードキャストデータサービスについての登録要求を受信すること」が開示されているということができる。
　　カ　上記アからオより，本願第１発明と引用発明は次の点で共通し，相違するといえる。
　［本願第１発明との共通点］
　ブロードキャストデータサービスに関係するデバイスをカウントするための方法であって、
　コアネットワーク構成要素において、デバイスに関係する前記ブロードキャストデータサービスについての登録要求を受信すること、
　を備え、前記コアネットワーク構成要素は、ブロードキャスト／マルチキャストサービスセンター（ＢＭ−ＳＣ）である、方法。
　［本願第１発明との相違点］
　　[相違点１]
　本願第１発明においては，「前記登録要求を前記受信することに部分的に基づいて登録カウントを増分する」のが，「ＢＭ−ＳＣ」である「前記コアネットワーク構成要素」であるのに対し，引用発明における「ＢＭ−ＳＣ」にはそのような特定がない点。
　　[相違点２]
　本願第１発明においては，「前記登録カウントに部分的に基づいて、前記ブロードキャストデータサービスを受信するデバイスのカウントを要求すべきかどうかを決定する」のが，「ＢＭ−ＳＣ」である「前記コアネットワーク構成要素」であるのに対し，引用発明における「ＢＭ−ＳＣ」にはそのような特定がない点。
　　　(２)　検討
　　　　ア　相違点１について
　本願第１発明おける「登録カウント」の意味するところが，「ブロードキャストサービスを受信するために登録されたデバイスのカウント」であることは明白である(本願明細書【００７４】等参照。)。
　これに照らして引用発明をみるに，引用発明において，「
ＢＭ−ＳＣに登録されたＵＥ
　そして，引用文献には，「本実施の形態では、
ＵＰＥ１６０において、
比較しているが、複数存在するＭＭＥのうち、選択されたある特定のＭＭＥが、同様にユーザ数の比較を行うようにしてもよい
　また，引用発明において，「ＢＭ−ＳＣ」に「デバイスのカウント」をする機能を移替することは，該「ＢＭ−ＳＣ」が，新たな機能を備えることを意味し，新たな負担を有することを意味する。そして，このような負担が生じる機能の変更をする技術的理由を，引用発明からは見いだすことができず，更に，周知であるということができる理由も発見しない。
　以上のことから，引用発明における「ＢＭ−ＳＣ」を，相違点１のように構成することを，当業者が容易に想到しえたということはできない。
　　　　イ　相違点２ついて
　上記「ア　相違点１について」に述べたとおり，引用発明の「ＢＭ−ＳＣ」において，「登録要求を受信すること」に部分的に基づいて「登録カウントを増分すること」，及び該「登録カウント」に部分的に基づいて，「ブロードキャストデータサービスを受信するデバイスのカウントを要求すべきかどうかを決定すること」は，当業者が容易に想到し得ない技術的事項である。
　そして，引用発明における「ＢＭ−ＳＣ」に，「決定すること」の機能を新たに備えさせるように変更する技術的理由を，引用発明から見いだすことはできず，更に，周知であるということができる理由も発見しない。
　以上のことから，引用発明における「ＢＭ−ＳＣ」を，相違点２のように構成することを，当業者が容易に想到し得たということはできない。
　　　　ウ　まとめ
　以上のとおりであり，また，本願第１発明のように構成したことよる効果を，当業者が引用発明から予測することができたともいえない。
　したがって，引用発明に基づいて，本願第１発明を当業者が容易に発明をすることができたということはできない。
　　２．本願第６発明に関する対比及び検討
　本願第６発明は，「ブロードキャストデータサービスに関係するデバイスをカウントするための装置」に係るものであり，実質的に，本願第１発明を「装置」に係る発明とするものであると解される。
　そうすると，上記「１．本願第１発明に関する対比及び検討」に述べたのと同様に，本願第６発明を，引用発明に基づいて，当業者が容易に発明をすることができたということはできない。
　　３．本願第１１発明に関する対比及び検討
　本願第１１発明は，「ワイヤレス通信のための装置」に係るものであるところ，該「装置」は，実質的に，本願第１発明を実行するのが，「少なくとも１つのプロセッサ」を備えるものである。
　そうすると，上記「１．本願第１発明に関する対比及び検討」に述べたのと同様に，本願第１１発明を，引用発明に基づいて，当業者が容易に発明をすることができたということはできない。
　　４．本願第１６発明に関する対比及び検討
　本願第１６発明は，「ブロードキャストデータサービスに関係するデバイスをカウントするためのコンピュータ可読記憶媒体」に係るものであるところ，該「コンピュータ可読記憶媒体」には，「少なくとも１つのコンピュータ」に，実質的に，本願第１発明に係る方法を，該「少なくとも１つのコンピュータ」に，実行させる「コード」が記憶されたものであると解される。
　そうすると，上記「１．本願第１発明に関する対比及び検討」に述べたのと同様に，本願第１６発明を，引用発明に基づいて，当業者が容易に発明をすることができたということはできない。
　　５．本願第１７発明に関する対比及び検討
　　　(１)　対比
　　はじめに
　本願第１７発明における「コアネットワーク構成要素」については，既に検討した本願第１発明のように，「ＢＭ−ＳＣ」であるとの特定はない。
　そこで，はじめに，「コアネットワーク構成要素」が技術的に意味するところを確認する。
　　ａ　３ＧＰＰ　ＴＲ２１.９０５　Ｖ１０.０.０(２００９−０９)には次の記載がある。
Core network: An architectural term relating to the part of 3GPP System which is independent of the connection technology of the terminal (eg radio, wired). 
(当審訳
コアネットワーク：端末(例えば，無線，有線)の接続技術に無関係である３ＧＰＰシステムの一部に関係するアーキテクチャ用語)
　　ｂ　特開２００６−２４６０８７号公報(平成１８年９月１４日公開)には，次の記載がある。
【００２１】
　図１は、本実施の形態のデータフレーム転送装置（コアネットワークのエッジノード）が接続（収容）されるシステムの全体構成を示すブロック図である。図１を用いて本実施の形態のシステムの全体構成を説明する。ここでは、ＩＰ網（外部データ通信ネットワーク）４〜９のコアネットワーク１０が、イーサネット（登録商標）網である場合を例に説明する。
なお、コアネットワークとは、ネットワーク同士を結ぶ大容量の基幹通信回線のことであり、例えば、インターネットサービスプロバイダ内の接続拠点間を結ぶ回線や、プロバイダと他のプロバイダやＩＸ(Internet eXchange、事業者間相互接続ポイント)を結ぶ回線等である
　　ｃ　特開２００３−１１５８４９号公報(平成１５年４月１８日公開)には，次の記載がある。
【００３３】高速コアネットワーク２３は、高速無線リンク２１を介して端末装置７との間で伝送される情報を取得し、その情報を高速の伝送速度で伝送する高速通信網である。ここで、
コアネットワークとは、端末装置７と通信を行い、端末装置７からの情報を他の通信網へ伝送したり、他の通信網からの情報を端末装置７に伝送するネットワークで、端末装置７の位置登録制御、呼の発生に応じてチャネルを割り当てる呼制御、サービス品質（ＱｏＳ）を制御するＱｏＳ制御等を行うネットワークをいう
　　ｄ　本願明細書には，次の記載がある。(下線は当審が付与。)
【００６５】
　[0086]　図６に、ワイヤレスネットワークにおいてブロードキャストデータを受信すべきデバイスをカウントするための例示的なワイヤレス通信システム６００を示す。システム６００は、説明したように、ワイヤレスネットワークへのアクセスを受信するために、基地局６０４と通信するデバイス６０２を含む。さらに、システム６００は、
ＭＣＥ６０６、ＢＭ−ＳＣ６０８などの
コアネットワーク構成要素
示されない他の構成要素（たとえば、１つまたは複数のゲートウェイ、ＭＭＥ、または他の接続管理ノード
　　ｅ　上記ａからｄによると，「
コア
　そうすると，「コアネットワーク構成要素」とは，該「コアネットワーク」を構成する要素を意味することは明らかである。このことを踏まえると，上記ｃにおいて，「パケット加入者系装置」，「パケット関門中継装置」，「サービス制御局」，「中継回線」は，いずれも「コアネットワーク構成要素」ということができる。
　以上のことも踏まえて，本願第１７発明と引用発明を比較すると次のことがいえる。
　　ア　引用発明における「移動管理装置（Mobility Management Entity：ＭＭＥ）１４０」，「ユーザプレーン装置（User Plane Entity：ＵＰＥ）１６０」及び「ブロードキャスト／マルチキャストサービスセンタ（Broadcast Multicast Service Center：ＢＭ−ＳＣ）１８０」は，いずれも「コアネットワーク」を構成するものであるといえることは明らかである。つまり，「ＭＭＥ」，「ＵＰＥ」及び「ＢＭ−ＳＣ」は，いずれも「コアネットワーク構成要素」であるということができる。
　　イ　引用発明における「ＵＥ」は「デバイス」といえる。
　　ウ　引用発明における「ＵＥ」も，「ブロードキャスト／マルチキャストサービスセンタ（Broadcast Multicast Service Center：ＢＭ−ＳＣ）」からサービスを受けるものであることは明白であるから，「ブロードキャストサービス」を受けることができるものであるといえる。つまり，該「ＵＥ」は，「ブロードキャストサービスに関係する」ものであるということができる。
　　エ　引用発明には，「ＵＥ」が，「ＭＢＭＳコンテキスト活性化要求」を「ＭＭＥ１４０」に送出することによって，「ＭＭＥ１４０」がサービス毎に参加しているユーザ数を位置登録エリア単位でカウントし，ＭＭＥユーザ数を更新し，そして，「ＭＭＥ１４０」がＭＢＭＳ登録更新をＵＰＥ１６０に送出し，「ＵＰＥ１６０」が，ＭＢＭＳエリア内に存在するサービスへの参加ユーザ数を位置登録エリア単位でカウントし，ＵＰＥユーザ数を更新するこが開示されている。
　ここで，「参加ユーザ数」の意味するところが，「ユーザ」が有する「ＵＥ」から，「ユーザ」が「参加したい」あるいは「加入したい」マルチキャストグループを示す識別子を含む「マルチキャスト加入要求」を送出した「ＵＥ」の数であることは明らかである。
　このことは，引用発明において，「参加ユーザ数」をカウントすることが，「ＵＥ」をカウントすることといい得ることを示している。
　　オ　引用発明は，「方法」に係る発明として特定するところ，「装置」に係る発明としても特定し得るものであることは明らかである。
　そして，上記イからエに述べたことも踏まえると，引用発明と本願第１７発明は，「ブロードキャストデータサービスに関係するデバイスをカウントするための装置」である点において共通するということができる。
　　カ　引用発明における「ＭＭＥ１４０」は，「ＵＥ１００が該サービスのマルチキャストグループへの最初の参加者であった場合」，「ＢＭ−ＳＣ１８０」に「ＭＢＭＳ登録要求を送出」する。
　このことから，引用発明における「ＢＭ−ＳＣ」は，「ＭＭＥ」の送出した「ＭＢＭＳ登録要求」を受信するための「構成要素」を備えているということができるものである。そうすると，上記アに述べたことを踏まえると，引用発明には，「コアネットワーク構成要素において，デバイスに関係するブロードキャストデータサービスについての登録要求を受信するための登録情報受信構成要素を備える」ことが開示されているということができる。
　更に，引用発明における「ＭＭＥ１４０」は，「ＢＭ−ＳＣ１８０から通知されたＭＢＭＳ登録応答を基にし，ＵＥ１００の属する位置登録エリアに関する識別子をユーザ数カウント部１４３(「ＭＭＥカウント部」)に通知して，サービス毎に参加しているユーザ数をカウントし、ユーザ数を更新し，更新したユーザ数をＭＢＭＳ登録更新に含め、ＭＢＭＳ登録更新をＵＰＥ１６０に送出する」機能を備えている(上記「第３　引用発明」の「１．」の「(４)　記載事項４」の[００４１]から[００４３]参照。)。
　そして，引用発明における「ＵＰＥカウント部」(「ＵＰＥ１６０」の「ユーザ数カウント部１６３」)は，「ＭＭＥ１４０はＭＢＭＳエリアに複数存在するため、それぞれのＭＭＥから通知されたユーザ数の合計値」を管理するものである(同[００４６]参照。)。
　これらのことから，引用発明には，「ＵＰＥカウント部」を，「ＵＰＥ」である「コアネットワーク構成要素」において，「登録要求に部分的に基づいて登録カウントを増分するためのデバイスカウント構成要素」を備えることが開示されているということができる。
　　キ　上記アからカより，本願第１７発明と引用発明は次の点で共通し，相違するといえる。
　［本願第１７発明との共通点］
　ブロードキャストデータサービスに関係するデバイスをカウントするための装置であって、
　コアネットワーク構成要素において、デバイスに関係する前記ブロードキャストデータサービスについての登録要求を受信するための登録情報受信構成要素と、
　前記コアネットワーク構成要素において、前記登録要求に部分的に基づいて登録カウントを増分するためのデバイスカウント構成要素と、
　を備える、装置。
　［本願第１７発明との相違点］
　本願第１７発明では，「前記コアネットワーク構成要素において、前記登録カウントが閾値よりも大きい場合に、前記ブロードキャストデータサービスを受信するデバイスのカウントを要求することを決定するためのカウント要求決定構成要素」を発明特定事項として有するのに対し，引用発明において「前記コアネットワーク構成要素」に該当するといえる「ＭＭＥ」，「ＵＰＥ」及び「ＢＭ−ＳＣ」において，「前記登録カウントが閾値よりも大きい場合に、前記ブロードキャストデータサービスを受信するデバイスのカウントを要求することを決定するためのカウント要求決定構成要素」を備えるとの特定がない点。
　　　(２)　検討
　上記相違点について検討するに，引用発明において，「ブロードキャストデータサービスを受信するデバイスのカウントを要求することを決定する」のは，「ＵＰＥ」における「ユーザ数比較部」であると解することができる。この点において，該「ユーザ数比較部」は「カウント要求構成要素」ということができる。
　しかし，引用発明において，「ブロードキャストデータサービスを受信するデバイスのカウント」をするのは，「ＳＣＴ」が選択され，該「ＳＣＴ」を示す識別子が出力された場合である。
　つまり，引用発明において，「ブロードキャストデータサービスを受信するデバイスのカウントを要求することを決定する」のは，「ユーザ数」が「閾値未満の場合」である。
　そして，引用発明において，「ブロードキャストデータサービスを受信するデバイスのカウントを要求することを決定する」のを，本願第１７発明のように「閾値より大きい場合」とする技術的理由を発見しない。
　以上のことは，引用発明をもとに，相違点のように構成することは，当業者が容易に想到し得たということができないことを示しているといえる。
　以上のとおりであり，また，本願第１７発明のように構成したことによる効果を，当業者が予測することができたということもできない。
　したがって，引用発明に基づいて，本願第１７発明を当業者が容易に発明をすることができたということはできない。
　　６．本件補正後の請求項２から５，７から１０，１２から１５，１８から２１に記載された発明について
　本件補正後の請求項２から５，７から１０，１２から１５，１８から２１に記載された発明は，同請求項１，６，１１，１６，１７に記載された発明を直接的又は間接的に引用するものである。
　そうすると，該請求項１，６，１１，１６，１７に記載された発明を，当業者が容易に発明をすることができたものであるということができないのであるから，これらの発明を引用する発明も，当業者が容易に発明をすることができたものであるということができないのは当然である。
　　７．本件補正後の各請求項に係る発明に関するまとめ
　上記「１．」から「６．」に述べたとおりであって，ほかに特許を受けることができない理由も発見しない。
　よって，本件補正後の請求項１から２１に記載された発明は，特許出願の際独立して特許を受けることができるものである。
　したがって，本件補正を，特許法第１７条の２第６項において準用する同法第１２６条第７項の規定に違反するものとして，却下することはできない。
　また，ほかに，本件補正を却下すべき理由を発見しない。
第５　本件出願
　以上のとおりであって，本件出願の請求項１から２１に係る発明は，本件補正後の特許請求の範囲の請求項１から２１に記載された事項により特定されるとおりのものであり，これら発明は，特許を受けることができるものである。
　また，本件出願を拒絶すべきものであるということができる理由も発見しない。
第６　むすび
　以上のとおり，本件出願の請求項１から２１に係る発明は，特許を受けることができるものである。
　また，本件出願について拒絶をすべき理由も発見しない。
　したがって，結論のとおり審決する。